(57)【特許請求の範囲】
【請求項１】
クロマトグラフを含む分析装置のためのサンプル調製を実行するためのデバイスであって、
自己封止カバーによって閉鎖することができると共に検査対象の物質を受容するためのサンプル区画（３１）を含むサンプル容器（１）を含み、
更に加熱ワイヤ・コイル（１３）を含むホルダ（１２）を含み、前記ホルダ内に、前記検査対象の物質を加熱するためにそのサンプル区画（３１）を有する前記サンプル容器（１）を挿入することができ、
前記加熱ワイヤ・コイル（１３）は、前記ホルダの底部に配置された内側金属リング電極（２２）および外側金属リング電極（２１）に接続されるよう構成され、
前記内側金属リング電極（２２）および前記外側金属リング電極（２１）は、共通の平面に配置され、
前記外側金属リング電極（２１）は、前記内側金属リング電極（２２）を囲んでおり、
更に、前記加熱ワイヤ・コイル（１３）のための電源を含み、前記電源が、定電流制御に基づくと共にパルス幅変調によって比例的に制御される、デバイス。
【請求項２】
設けられた前記ホルダ（１２）が、閉鎖キャップ１７によって閉鎖することができるモジュール容器（１４）であり、
その内部（４０）に前記サンプル容器（１）が挿入可能容器として挿入され、
前記サンプル容器の下部（１５）において前記加熱ワイヤ・コイル（１３）が前記モジュール容器（１４）に一体化されていることを特徴とする、請求項１に記載のデバイス。
【請求項３】
前記加熱ワイヤ・コイル（１３）の前記電源が接続可能加熱基盤（３３）を介して外部に設けられていることを特徴とする、請求項２に記載のデバイス。
【請求項４】
前記加熱ワイヤ・コイル（１３）が白金加熱ワイヤ・コイルであることを特徴とする、請求項１〜３のいずれか一項に記載のデバイス。
【発明の詳細な説明】
【技術分野】
【０００１】
本発明は、クロマトグラフィ分離方法のためのサンプルを調製するためのデバイスに関する。
【背景技術】
【０００２】
クロマトグラフィ分離方法は、サンプル構成要素の定性的及び定量的な判定のための最も重要な分析方法の１つである。一般に、分離技法の効率は適切なサンプル調製によって向上させることができる。精度、反復性、及びサンプル・スループットにおける最大限の性能について、ユーザがこれを達成するのはできる限り多くのサンプル分離ステップを自動化することが可能な場合のみである。
【０００３】
ＤＥ−Ａ  １  ７７３  １４１は、ガス分析装置、具体的にはガスクロマトグラフにおけるサンプリングのための方法を開示する。この方法では、サンプル容器に検査対象の液体又は固体の物質を部分的に充填し、その後に自己封止膜を供給する。サンプル容器の温度を調節することによって、サンプル容器の自由内部空間において揮発性成分を濃縮する。このガス空間からサンプルを取得するため、膜を介してサンプリング・デバイスを押す。次いで、このいわゆる上部空間方法において取得した揮発性構成要素をガス分析によって検査する。
【０００４】
この方法を自動的に実行するため、サンプル容器に処置を施すステーションを有する搬送デバイス上に様々なサンプル容器を並べて配置する。これは、少なくとも１つのサンプル成分の化学反応の開始及び抽出デバイス下での一定距離の後のサンプル容器の搬送を含む。  
【０００５】
熱分解の場合、金属さじに検査対象の物質を充填し、これらのさじをサンプル容器内に置く。次いで、例えば誘導によって搬送デバイスの特定位置でさじを再び加熱すれば良い。この場合、最も揮発性の高い熱分解生成物を検査する。
【０００６】
ガスクロマトグラフによる分析のための熱分解を用いた固体サンプルの調製において、一般に、空気排出が供給されたガスクロマトグラフ（ＧＣ）において直接に検査対象の物質を分解することが知られている。一般的な実施に従って、その後に熱分解生成物をＧＣカラムに送出し、分離及び測定を行う。
【０００７】
ＤＥ  ４２  ０６  １０９  Ｃ２から既知であるように、例えば、固体の分子量の大きい物質から、クロマトグラフ分離方法によって分離及び同定可能な分子量の小さい生成物を得るためにも、分析化学において化学物質の熱分解が用いられる。この目的のため、検査対象の物質をリアクター筐体内の金属さじに配置する。熱分解温度を調節するために金属さじを加熱する。リアクター容器にキャリアガス流を流し、これが熱分解生成物を分析測定デバイスに運ぶ。
【０００８】
半固体及び固体のサンプルの熱的な分解（熱分解、サーモリシスの後に、結果として得られた分解生成物の化学分析を行うことは、固体又は半固体のサンプルの同定又は特徴付けを行うために今日広く用いられているサンプル分離方法である。分析スケールでは、典型的にμｇからｍｇの範囲であるサンプルを、小さい容器の中に置くか又は加熱媒体に直接接触させる。極めて短い時間、サンプルを、その熱化学反応を可能とする温度に加熱する。
【先行技術文献】
【特許文献】
【０００９】
【特許文献１】ＤＥ−Ａ  １  ７７３  １４１
【特許文献２】ＤＥ  ４２  ０６  １０９  Ｃ２
【特許文献３】ＤＥ  １９８  １７  ０１６  Ａ１
【特許文献４】ＤＥ  １９７  ２０  ６８７  Ｃ１
【特許文献５】ＤＥ  １  ８４６  ０２２  Ｕ
【特許文献６】ＤＥ  １  ５９８  ４３６  Ａ
【発明の概要】
【発明が解決しようとする課題】
【００１０】
一般に、熱分解は５００℃及び１４００℃の間の温度で行う。次いで、熱的な分解の生成物（熱分解生成物）を、クロマトグラフィ分離方法、主としてガスクロマトグラフィによって分析することが好ましい。他の場合には、熱分解生成物の組成の一般的な特徴付けのために、通常は質量分析計である検出器内に熱分解生成物を直接導入する。今日、典型的に熱分解によって分析されるサンプルは、生物学的サンプル及び環境的サンプルであるか、又は芸術的材料、食物及び農業用途、地球化学及び燃料源、科学捜査及び合成ポリマーにおいて見出される。更に、極性の熱分解生成複合物をインサイチュー（in situ）で誘導体化するために、様々な化学試薬製品が利用可能である。このため、ガスクロマトグラフィにおいて不良のピーク形状を示す極性複合物は、熱分解生成複合物構造の変更によって検出することができる。分析熱分解では、熱分解温度をできる限り迅速に達成すること、及びこの温度をユーザが規定した時間期間にわたって維持することが不可欠である。
【００１１】
ＤＥ  １９８  １７  ０１６  Ａ１は、加熱コイルに取り付けることができるサンプルを含むサンプリング・チューブを開示する。ＤＥ  １９７  ２０  ６８７  Ｃ１は、誘導コイルにおける熱分解チューブを開示する。ＤＥ  １  ８４６  ０２２  Ｕは、白金らせんによって囲まれた熱分解セルを開示する。ＤＥ  １  ５９８  ４３６  Ａは、熱分解空間における加熱抵抗器を開示する。
【００１２】
従って、本発明の目的は、サンプル調製を実行するためのデバイスであって、熱的分解の生成物の分析検査のための熱化学的調製におけるサンプルの自動化処理を改善し、サンプル調製の再現性を最適化するものを提供することである。
【課題を解決するための手段】
【００１３】
この目的は、請求項１の特徴（features）によって達成される。
【００１４】
このように、サンプル調製を実行するためのデバイスを提供する。これによって、検査対象のサンプルの有利な熱処理が可能となる。本発明に従ったサンプル容器は反応空間を形成し、サンプルの迅速な加熱を可能とする。
【００１５】
更に、サンプルの熱処理の前及び／又は後に化学反応を実行可能とするために、サンプル容器内にある量の液体を導入することができる。従って、サンプル容器は同時にある種の試験管であることが好ましい。熱処理の後に、サンプル容器において変換又は分解した生成物／複合物を溶解することができる。
【００１６】
再現性及びオートマタビリティのために不可欠なことは、サンプル容器において、化学反応を伴うか又は伴わない熱プロセス及び任意の溶解プロセスを実行可能であるということである。クロマトグラフィ・システムの注入システム又は検出システム及び分離カラムは、熱プロセスにおいて汚染されない。注入プロセスのためにサンプル容器から取り出されるからである。サンプル容器内での熱化学反応は分析プロセスとは独立して実行される。クロマトグラフィ・システムとの直接結合は確立されない。
【００１７】
サンプルを取得して、直接サンプル容器に収容し、例えばその性質を変化させない熱化学反応、特に熱分解のための研究室に送ることができる。従って、バクテリア及び菌類等の微生物を培養又は採取し、直接（消毒した）容器に置くことができる。熱化学的に変換したか又は熱分解させた生成物を同様に収容することができる。閉鎖システムによって、汚染の危険を抑える。
【００１８】
好ましくは、容器に基づいた分散型インタフェースを提供する。このインタフェースは、具体的には、一体化加熱要素が形成されたモジュール容器を有する容器機構を含むことが好ましい。モジュール容器に、サンプル容器としての挿入可能容器を挿入する。モジュール容器は、隔壁（又は注入ストッパ）を有するキャップによって閉鎖することができる。好ましくは、この隔壁は同時に挿入可能容器も覆う。サンプルを挿入可能容器に入れて、次いで後者を、サンプルの熱化学反応、特に熱的な分解（熱分解、サーモリシス）を可能とする温度に加熱する。サンプル容器としての挿入可能容器内に、隔壁を介してガス及び／又は液体を注入することができる。このため、モジュール容器は、サンプル容器としての内部ホルダを有する注入容器（又は水薬瓶）であることが好ましい。
【００１９】
モジュール容器の寸法の選択は、クロマトグラフィ機器の最も一般的な市販のロボット及び自動サンプリング・デバイスによって搬送し処理することができるように行えば良い。
【００２０】
熱処理の前に、サンプル容器に不活性ガス又は反応性ガスを流すことができる。サンプルの熱処理の後、サンプル容器を冷却することも可能である。
【００２１】
更に、熱的な分解の生成物を溶解するために、サンプル容器内に少量の溶剤を注入することができる。この溶液は、化学分析、特にガスクロマトグラフィ（ＧＣ）、高性能液体クロマトグラフィ（ＨＰＬＣ）、超臨界流体クロマトグラフィ（ＳＦＣ）、又はキャピラリー電気泳動（ＣＥ）を行うことができる。
【００２２】
本発明の更に別の構成及び利点は、以下の説明及び従属請求項において見出すことができる。
【００２３】
これより、添付図面に示した例示的な実施形態を用いて、本発明について更に詳細に説明する。
【図面の簡単な説明】
【００２４】
【図１Ａ】第１の例示的な実施形態に従った、ホルダを含むサンプル容器の部分を概略的に示す。
【図１Ｂ】第１の例示的な実施形態に従った、ホルダを含むサンプル容器の部分を概略的に示す。
【図２Ａ】第２の例示的な実施形態に従った、ホルダを含むサンプル容器の部分を概略的に示す。
【図２Ｂ】第２の例示的な実施形態に従った、ホルダを含むサンプル容器の部分を概略的に示す。
【図３】サンプル容器としての挿入可能容器を含むモジュール容器の部分を概略的に示す。
【図４Ａ】図１によるサンプル容器としての挿入可能容器を含むモジュール容器を、分解斜視図及び縦断面で概略的に示す。
【図４Ｂ】図１によるサンプル容器としての挿入可能容器を含むモジュール容器を、分解斜視図及び縦断面で概略的に示す。
【図５】モジュール容器ステーションを概略的に示す。
【図６】自動化サンプル調製ステーションを概略的に示す。
【発明を実施するための形態】
【００２５】
本発明は、クロマトグラフィ分離方法のためのサンプルを調製するための方法及びサンプル調製を実行するためのデバイスに関する。
【００２６】
図１Ａ、図１Ｂ、図２Ａ、図２Ｂに表すように、サンプルを調製するための本発明に従った方法において、サンプル容器１を用いる。このサンプル容器１は空隙を形成し、それにコアとして検査対象の物質を充填する。サンプル容器１は、検査対象の物質を受容するために好ましくは中空容器であり、具体的には管状の容器である。検査対象の物質はサンプル容器１において熱化学反応を起こす。サンプル容器１は、一方側の開口を介して部分的にのみ検査対象の物質又はサンプルを充填し、閉鎖されている。好ましくは、サンプルは、固体、半固体、又は濃縮された生成物から成る。サンプル容器１は、隔壁３又は自己封止分離壁４によって閉鎖されていることが好ましい。
【００２７】
サンプル容器１の長さ及び幅の選択は、サンプルを導入した際に分析スケールでのその量が通常μｇからｍｇの範囲であるように行われ、サンプルを充填するのは多くてもサンプル容器１の内部空間２又は空隙の部分長Ｘである。サンプル容器１の内部空間２は、この範囲でサンプル区画３１を形成する。この部分長Ｘの上に、サンプル容器１の内部空間２は上部空間区画又は内部区画３２を形成し、これは例えば自由内部を形成する。上部空間区画３２において、揮発性成分を濃縮することができ、又はガスを流すことができ、これによって上部空間区画３２はガス空間又はガス区画を形成する。この代わりに又はこれに加えて、具体的にはサンプルの熱化学反応の前及び／又は後に、上部空間区画３２に溶剤及び／又は試薬を充填することができる。次いで、上部空間区画３２を溶剤区画として用いることができる。
【００２８】
サンプル区画３１の領域におけるサンプル容器１の幅は、１から２０ｍｍの範囲内であることが好ましい。サンプルは、サンプル容器１を充填高さまで充填することができる。サンプル容器１内、具体的にはサンプル区画３１内に、検査対象の物質は例えばカラム又はサイロのように蓄積することができる。この代わりに、サンプルは、液体、１片の固体、又は塊としてサンプル容器１内に導入することも可能である。充填量又は充填物の上に上部空間区画３２の自由空間領域が延在し、これにガス又は液体を充填することができる。
【００２９】
検査対象の物質又はサンプルは、サンプル容器１内において熱化学反応を生じ、少なくとも１つのサンプル成分が別の物質に変換される。好ましくは、これはサーモリシス又は熱分解を伴う。従って、サンプル容器１はサンプル調製のための反応容器である。
【００３０】
熱変換又は熱的な分解の生成物は、分析検査のために抽出デバイス（図示せず）によってサンプル容器１から取り出される。従って、サンプル容器１はサンプリングのための反応容器である。
【００３１】
好ましくは、サンプル容器１は空隙としての軸又は容器狭窄部５を含み、この中に熱化学反応を行うために検査対象の物質又はサンプルを導入する。少なくとも部分的に検査対象の物質を充填する軸（又は容器狭窄部）５は、サンプル区画３１を形成するので、好ましくは部分長Ｘだけ延在する。好ましくは、軸５はサンプル容器１の下部を形成する。サンプル容器１は、軸５の領域において選択可能な公称幅及び狭い断面を有する容器としての形状を有することが好ましい。軸５は実質的に、頭部で直立するように配置された容器の頸部を形成し、これは容器開口部６における一方側で開口している。
【００３２】
サンプル容器１は、軸５の反対側の端部における一方側で端部が開口するように形成されており、これは好ましくは容器開口部６であり、隔壁３又は自己封止分離壁４によって閉鎖されている。
【００３３】
図１Ａに示すように、自己封止分離壁４は、開放端部に嵌合することができる搬送ヘッド７に形成されることが好ましい。サンプル容器１は、その開放端部を封止した状態で搬送ヘッド７に嵌合させることができ、この目的のために例えばＯリング８を使用可能である。自己封止分離壁４は、サンプル容器１へと開口する出口路９を閉鎖する。
【００３４】
この代わりに、図２Ａに示すように、サンプル容器１の開放端部に蓋１０を嵌合することも可能である。蓋１０は、サンプル容器１にしっかり締められ、この目的のためにここでもＯリング８を設けることができる。蓋１０は、抽出デバイス（図示せず）を貫通させるために隔壁３が露呈するように円形のくぼみを有する。
【００３５】
図１Ｂ及び図２Ｂに示すように、サンプル容器１においてサンプルを加熱処理するため、サンプル容器１を加熱デバイス１１に挿入することができる。サンプル容器１は、好ましくは部分長Ｘに相当するサンプル容器１の部分長に沿ってのみ熱を加えられる。好ましくは、加熱デバイス１１の構成は、ホルダ１２が、加熱ワイヤ又は加熱フィラメント１３として形成されることが好ましい一体化加熱要素を含み、この中にサンプル容器１を部分的に挿入することができる。加熱ワイヤ１３は、サンプルが充填されている部分長に沿ってのみ間接的に熱伝達するようにサンプル容器１を囲む。サンプル容器１内のサンプルの充填高さの結果として、加熱部分が形成され、これに沿ってサンプル容器１内のサンプルに熱が加えられる。これによってサンプルを通過する集中的な熱伝達が達成されるが、高温に露呈されるのはサンプル容器１の一部分、具体的には空隙のみである。
【００３６】
好ましくは、特に放熱の他に、サンプル容器１はその容器壁を介した熱伝導によって、すなわちサンプルとの接触によっても、サンプルに熱を伝達する。
【００３７】
加熱ワイヤ１３は、例えばフラッシュ熱分解を実行するために、サンプル容器の挿入前に予熱しても良い。また、加熱ワイヤ１３は、例えばサンプル容器１内の熱分解前の液体サンプルを濃縮するため、異なる温度で動作させることも可能である。
【００３８】
このため、好ましくは軸５の形状の空隙内に導入されたサンプルは、軸５の全周にわたって適用される熱処理を施される。熱処理は下部サンプル区画３１に限定されており、上部空間区画３２では、これに沿ってサンプル容器１の長さ及び断面を配置することによって、上部空間区画３２内及び上部空間区画３２上で温度低下を調節する。１４００℃までの温度レベルの熱作用では、（例えばサンプル容器１の容器壁における）温度低下は、サンプル容器１の容器開口部６まで少なくとも３００℃に調節されることが好ましい。
【００３９】
サンプル容器１及び加熱デバイス１１は、クロマトグラフィ分離技法の分析装置用のサンプルを調製するためのデバイスを形成する。熱化学反応は熱分解として実行されることが好ましい。熱的な分解は不活性雰囲気において実行することができる。すなわち、不活性ガス（ヘリウム、窒素）をサンプル容器１内に導入する。この代わりに、熱的な分解は、酸素の存在下で又は空気雰囲気で実行することも可能である。かかる酸化熱分解により、酸化熱分解生成複合物の割合が高くなる。
【００４０】
サンプル及びその後の熱的な分解の生成物は、サンプル容器１に注入した試薬によって化学反応を伴って又は伴わずに溶解させることができる。従って、サンプル容器１は化学反応のための液体を受容するためにも用いられる。このため、サンプル容器は、化学反応、検査のため、並びに、具体的には熱化学処理の前及び／又は後にサンプルを収容するための試験管でもある。
【００４１】
クロマトグラフィ分離のため、調製したサンプルの上の気体空間から直接に気相を取得することができ、又は調製したサンプルを選択可能な移動相に溶解することができる。この場合、移動相は液体又は超臨界流体とすることができる。
【００４２】
サンプル容器１の空隙は分析スケールで充填される。好ましくは、サンプル容器１はこの範囲で少なくとも部分長Ｘの部分に沿って充填される。すなわち、サンプルはサンプル容器１の壁によって縁部が画定される。サンプル容器１内の充填レベルに実質的に到達するので、加熱デバイス１１からの熱伝達の向上が達成される。任意に、スタッフィング（stuffing）でもっと均一な充填を行うことも可能である。
【００４３】
充填量に沿って、間接的な熱伝達のための加熱デバイス１１の加熱部分が適用される。この目的のために、サンプル容器１の形状は、管又はフィンガとして形成する他に、容器狭窄部又は軸５を有するように、具体的には容器の形態に形成することができる。好ましくは、サンプル容器１はその下端部が先細になった容器である。しかしながら、サンプル容器１は、常に一方側で開放し、カバー（例えば注入ストッパ、ＰＴＦＥ隔壁、自己封止分離壁等）によって閉鎖することができる中空容器であることが好ましい。加熱部分は、サンプルが充填されている位置に限定される。サンプル容器内にサンプルが存在することで、高い熱浸透が可能である。
【００４４】
図３及び図４に示す別の例示的な実施形態によれば、サンプル容器１は、分析サンプル調製の分散型インタフェースを形成する容器機構の一部である。これに設けられたホルダは、閉鎖キャップ１７によって閉鎖することができるモジュール容器１４であり、その内部４０にサンプル容器１が挿入可能容器として挿入され、その下部１５は加熱ワイヤ・コイル１３をモジュール容器１４に一体化する。
【００４５】
従って、容器機構は、一体化加熱デバイス１１を有する加熱可能モジュール容器１４を含み、このデバイス１１内に、サンプル容器１を挿入可能容器として取り外し可能に挿入する。容器機構は注入カバーによって閉鎖されている。
【００４６】
サンプル容器１に充填される固体又は半固体のサンプル、及びサンプル容器１において濃縮される液体は、例えば熱分解を実行するために選択可能な温度まで加熱することができる。従って、サンプル容器１の構成に関する上述の言及は、ここにも当てはまる。しかしながら、第１の例示的な実施形態の変形として、この場合のサンプル容器１は、外側容器としてのモジュール容器１４に取り外し可能に挿入される内側容器である。
【００４７】
モジュール容器１４は、水薬瓶のような大きさであり、モジュール容器本体１６を含み、この上に下部１５及び上部（注入）キャップ１７がそれぞれ、好ましくは解放可能に固定されている。モジュール容器１４の受容空間４０において、サンプル容器１は内側容器として設けられている。下部１５及びキャップ１７は、モジュール容器本体１６の内部又は上部にねじ留めすることができると好ましい。
【００４８】
下部１５は、モジュール容器１４の底部において加熱デバイス１１を含み、これはホルダのように形成された電気絶縁基部１８上に配置されている。このために、電気絶縁基部１８上に２つの金属片１９がねじ２０と接触する加熱ワイヤとして固定されている。絶縁基部１８に２つの金属リング電極２１、２２が適用され、金属片１９とリング電極２１、２２との間に、金属ロッド４５によって、具体的には固体の銅ロッドによって電気接点が確立されている。金属接点片１９上に、金属ねじ２４によって（白金）加熱ワイヤ・コイル１３が固定されている。加熱ワイヤ・コイル１３は、モジュール容器１４の軸方向において加熱部分を画定する。加熱ワイヤ・コイル１３はこの加熱部分に沿って石英管２５によって支持され、これによっても加熱部分の軸方向の長さを確立することができる。石英管２５はこの範囲で、加熱ワイヤ・コイル１３により発生した熱を加熱部分上に集中させるためのシールドを形成する。
【００４９】
下部１５は更に小さいばね２６を有し、これによってサンプル容器１は挿入された場合に上方向に押圧される。これによって、開放端部すなわち容器開口部６を有するサンプル容器１を、キャップ１７に配置された隔壁３に対して閉塞させる。
【００５０】
好ましくは、モジュール容器本体１６は、陽極処理を行った（約１００μｍの酸化物層の）アルミニウムから成り、底部に内部ねじ山２７を有し、この中に絶縁基部１８の外部ねじ山２８をねじ留めすることができる。従って、絶縁基部１８はモジュール容器本体１６を底部で取り外し可能に閉鎖する。モジュール容器本体１６は、金属又は金属合金から成ることが好ましい。
【００５１】
好ましくは、サンプル容器１は、１４００℃までの熱分解温度に耐えるために石英から成る。好ましくは管状のサンプル容器１は、挿入可能容器として上部分を有し、これは容器狭窄部又は軸５を形成する下部分よりも幅が広い。従ってサンプル容器１は、その閉鎖した下端に向かって先細形状を有することが好ましい。検査対象のサンプルはこの下部分に導入される。またここで、サンプルは、空隙としての軸５内で検査対象の材料のコアを形成することが好ましい。
【００５２】
サンプル容器１のモジュール容器本体１６への挿入は、サンプルが充填されている軸５が加熱ワイヤ・コイル１３によって囲まれるように行う。例えば充填レベル・カラムによって又は１片以上の物体としてサンプルを受容する軸５に沿って、加熱部分が適用される。このため、高温、具体的には高い熱分解温度に露呈されるのは、サンプル容器１の下部分のみである。
【００５３】
モジュール容器本体１６はキャップ１７で閉鎖されている。キャップ１７はねじキャップ２９であることが好ましく、隔壁３を支持する。この目的のために、モジュール容器本体１６は頭部に外部ねじ山３０を有する。隔壁３は、抽出デバイス（図示せず）の針の導入を可能とし、これによってサンプル容器１内に熱分解生成物又は反応ガス及び／又は熱分解生成物又は反応液を注入する。好ましくは、隔壁３は、例えばＰＴＦＥ等、比較的高い温度（例えば３００℃まで）に耐えるポリマー・コーティングで被覆されている。
【００５４】
サンプル容器１及びモジュール容器１４は、隔壁３が設けられた共通のキャップ１７によって閉鎖されており、分析検査のために抽出デバイスによってサンプル容器１からサンプルを容易に取り出すことが可能となっている。この範囲で、ばね２６は有利な効果を有する。なぜなら、サンプル容器は下部１５で支持され、モジュール容器１４が閉鎖された場合に隔壁３に対してプレストレスで押圧されるからである。更に、サンプル容器１は、モジュール容器１４の受容空間４０においてモジュール容器１４の容器頚部によって整合可能及び／又は位置決め可能とすることができる。
【００５５】
モジュール容器本体１６の寸法は、以下のようであることが好ましい。外部寸法は１１．５ｍｍであり、ねじキャップ２９を除いた高さは３２ｍｍである。これらの寸法は、クロマトグラフィ機器において典型的に用いられる２ｍｌ容器のものと同一である。モジュール容器本体１６のねじ山３０は、例えば市販のねじキャップに嵌合するので、これらをモジュール容器本体１６と組み合わせて用いることができる。
【００５６】
容器狭窄部５の形態の挿入可能サンプル容器１のサンプル区画３１の寸法は、例えば以下のように選択することができる。内部寸法は１．９ｍｍであり、長さ（高さ）は１２．５ｍｍである。容積は約２５μｌである。サンプル区画３１（図３を参照のこと）の上にある上部空間区画３２の寸法は例えば以下のようなものである。内部寸法は５ｍｍであり、長さ（高さ）は１２．５ｍｍである。内部容積は好ましくは１０から２５０μｌである。具体的には、上部空間区画３２は、特にサンプルの熱処理の後に溶剤区画として用いることができる。これらの内部寸法によって、容易に針を挿入し、約５０から１５０μｌの溶剤を注入することができる。
【００５７】
サンプル区画３１の好適な寸法は、サンプル容器１の全高の６０％未満から７０％の高さである。好ましくは円筒形に形成されているサンプル容器１は、上部空間区画３２において４から４０ｍｍ、特に４から１０ｍｍの直径を有することが好ましく、サンプル区画３１において１から２０ｍｍ、具体的には１から５ｍｍの直径を有することが好ましい。
【００５８】
図３及び図４に示し上述したモジュール容器１４は、内蔵又は一体化された加熱デバイス１１を有すると共にサンプル容器１の形態の挿入可能内部挿入物を有する水薬瓶であり、その充填された空隙をサンプル区画３１において加熱デバイス１１によって加熱することができる。このため、サンプルの熱処理は分散して実行され、クロマトグラフィ分析装置から切り離されている。
【００５９】
加熱デバイス１１は、外部電気供給によって動作させることができる。好ましくは、この目的のためにモジュール容器１４を別個の加熱基盤３３上に配置する。例えばばねにより装填される接点のような簡単な接続技法又はプラグイン技法によって、モジュール容器１４の下部１５の電極２１、２２に対する接続を行うことができる。従って、電極２１、２２は外部電気供給のための接続要素を形成し、この目的のために絶縁部１８内に外部挿入されることが好ましい。加熱基盤３３は、モジュール容器ステーション３４上に搭載することができる（図５を参照のこと）。
【００６０】
本発明によれば、加熱ワイヤ・コイル１３のための電源は、図１Ａ、図１Ｂ、図２Ａ、図２Ｂ、図３、及び図４に示した例示的な実施形態において、定電流制御に基づいている。この定電流制御は、パルス幅変調（ＰＷＭ）により比例的に制御される。すなわち、ＰＷＭ値が高くなると電流が大きくなる。更に、加熱ワイヤ・コイル１３の温度は電流に比例する。最大ＰＷＭ値をプログラムすることによって、加熱の増大は時間の関数として制御することができる。パルス幅変調は、サンプル容器１におけるサンプルの熱処理の再現性を最適化する。
【００６１】
このため、加熱ワイヤ・コイル１３の正確な取り付けが不良であるという事実のために、異なる電気抵抗が取得されることなく加熱抵抗加熱ワイヤの原理を利用する。全電気回路の全抵抗は所与の電圧に対する電流に影響を与える可能性があるので、これは重要である。
【００６２】
温度は、３つのパラメータによって制御されることが好ましい。すなわち、予熱時間、遅延時間、及び加熱ＰＷＭである。予熱時間は、加熱ワイヤ・コイル１３に最大電流を印加する時間である。予熱の後に得られる温度は、その持続時間に依存する。遅延時間中は電流を印加しない。この遅延によって、特に比較的低い温度での温度超過確率（exceedance）を低減する。加熱ＰＷＭ値は、加熱期間中の電流の尺度である。
【００６３】
加熱ワイヤ・コイル１３による初期加熱は、例えば２０から５０℃／ｓで比較的ゆっくり開始することができ、２５０℃／ｓまで上昇させることができる。このため、例えば５００℃の熱分解温度を達成するために２分から３分しか必要としない。熱分解温度までの加熱時間は、１０から３０秒であることが好ましい。
【００６４】
例えば熱分解の前にサンプル容器１内の液体サンプルを蒸発させるために、加熱ワイヤ・コイル１３によって、例えば１５０から２５０℃の蒸発器温度を設定する。蒸発及び熱分解は、同一のサンプル容器１において実行することができる。
【００６５】
加熱ワイヤ・コイル１３は、好ましくは白金加熱ワイヤ・コイルである。
【００６６】
従って、サンプル容器１は、モジュール容器１４の受容空間４０内に挿入可能である（外側）水薬瓶のための挿入物として形成され、（内側）水薬瓶としてキャップ１７で閉鎖することができる。このため、内側水薬瓶を有する外側水薬瓶が形成され、これらは共通の注入閉鎖部を有することが好ましい。
【００６７】
図６に示すように、モジュール容器ステーション３４は、制御ユニット４４が形成された市販のＸＹＺロボット上に取り付けることができる。モジュール容器１４は、Ｚユニット３５によって、容器ホルダ・ラック３６からモジュール容器ステーション３４内に搬送することができる。熱分解の後、溶剤容器３７からＺユニット３５内にシリンジによって溶剤を吸引し、モジュール容器１４内に注入することができる。この後、更に混合するためにモジュール容器を攪拌しても良い。最後に、抽出物を、例えば液体クロマトグラフィ・システムに注入するため注入弁３８上に設置されているループ内に注入することができる。このように、モジュール容器１４は、クロマトグラフィ分離技法におけるサンプル調製及びサンプル送出のためのロボットにインタフェースとして一体化することができる。
【００６８】
図５は、加熱基盤３３とフロー・セル３９とを有するモジュール容器ステーション３４を示す。フロー・セル３９に例えば不活性ガスを流す。このガスは、気密シリンジによって吸引してサンプル容器１内に導入することができる。
【００６９】
本発明によって、容器内のサンプルを調製することが可能となり、このプロセスは完全に自動化することができる。本発明によれば、異なるサンプル容器１を用いても、異なる熱分解条件を生じることはなく、従って、再現不可能なピログラム（pyrogram）を生じることもない。
【００７０】
その後の熱分解のためにモジュール容器１４を用いることができる。
【図１Ａ】
0005877197.tif 000002
【図１Ｂ】
0005877197.tif 000003
【図２Ａ】
0005877197.tif 000004
【図２Ｂ】
0005877197.tif 000005
【図３】
0005877197.tif 000006
【図４Ａ】
0005877197.tif 000007
【図４Ｂ】
0005877197.tif 000008
【図５】
0005877197.tif 000009
【図６】
0005877197.tif 000010